(57)【要約】ＭＢＭＳサービスのためのＩｕインターフェース上の信号ベアラー方法は、（ａ）ＲＮＣがサービスＧＰＲＳ支持ノード（ＳＧＳＮ）から任意のＭＢＭＳサービスのためのＭＢＭＳ通知メッセージを受信するステップと、（ｂ）ＲＮＣが通知のコンテンツに従ってＭＢＭＳサービス要請メッセージを構成するステップと、（ｃ）ＲＮＣがＳＧＳＮへ信号接続制御部（ＳＣＣＰ）接続要請メッセージを伝送し、ＳＣＣＰ信号接続を設定するように要請した後に応答を待機するステップと、（ｄ）ＲＮＣがＳＧＳＮからこのサービスのために使用されたＩｕ信号接続設定の成功を示すＳＣＣＰ接続確認メッセージを受信するステップと、を含む。本発明で提供された接続モードは、ネットワーク資源を適切に使用することができ、Ｉｕインターフェース上の信号混雑を効果的に減少させ、既存のＩｕインターフェースメッセージに加えられる変更を低減させることができる。
2006506001.tif 000002
【特許請求の範囲】
【請求項１】
無線ネットワーク制御器（ＲＮＣ）がＩｕインターフェース上でマルチメディアブロードキャスト／マルチキャストサービス（ＭＢＭＳ）サービスのための共有信号ベアラーを設定するＭＢＭＳサービスのためのＩｕインターフェース上の信号ベアラー接続方法であって、
（ａ）前記ＲＮＣがサービスＧＰＲＳ支持ノード（ＳＧＳＮ）から任意のＭＢＭＳサービスのためのＭＢＭＳ通知メッセージを受信するステップと、
（ｂ）前記ＲＮＣが通知のコンテンツに従ってＭＢＭＳサービス要請メッセージを作成するステップと、
（ｃ）前記ＲＮＣが前記ＳＧＳＮへ信号接続制御部（ＳＣＣＰ）接続要請メッセージを伝送し、ＳＣＣＰ信号接続を確立するように要請した後に応答を待機するステップと、
（ｄ）前記ＲＮＣが前記ＳＧＳＮからこのサービスのために使用されたＩｕ信号接続確立の成功を示すＳＣＣＰ接続確認メッセージを受信するステップと、
を含むことを特徴とするＭＢＭＳサービスのためのＩｕインターフェース上の信号ベアラー接続方法。
【請求項２】
次の状況が前記ＲＮＣによって開始される既存のＳＣＣＰ接続確立の条件に付加され、前記ＲＮＣがＭＢＭＳサービス要請メッセージを伝送する場合、前記サービスのための該当Ｉｕ信号接続がなければ、前記ＲＮＣは、ＳＣＣＰ接続確立手順を開始することを特徴とする請求項１記載の方法。
【請求項３】
任意のユーザ装置（ＵＥ）がＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）ソースＲＮＣ（ＳＲＮＣ）が再配置手順の実行を決定するステップと、
（ｂ）前記ＳＲＮＣが再配置命令メッセージを作成し、このＵＥのためのＩｕ信号接続があるか否かを検査し、ＵＥのためのＩｕ信号接続がなければ、そのデータフィールド内に再配置命令メッセージを含むＳＣＣＰ接続要請メッセージを作成するステップと、
（ｃ）前記ＳＲＮＣがＳＧＳＮへＳＣＣＰ接続要請メッセージを伝送し、ＳＣＣＰ信号接続の確立を要請した後にその応答を待機するステップと、
（ｄ）前記ＳＲＮＣがＳＧＳＮからこのサービスのために使用されたＩｕ信号接続確立の成功を示すＳＣＣＰ接続確認メッセージを受信するステップと、
を含むことを特徴とする請求項１記載の方法。
【請求項４】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後に、前記データフィールドに含まれた無線接続ネットワーク応用部（ＲＡＮＡＰ）メッセージを分離し、前記ＲＡＮＡＰメッセージが再配置命令メッセージである場合、このＵＥのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）前記ＳＧＳＮが新たなＳＧＳＮへ再配置要請メッセージを伝送するステップと、
（ｄ）前記ＳＧＳＮが前記新たなＳＧＳＮから再配置応答メッセージを受信した後に、前記ＵＥのための専用Ｉｕ信号接続を介してＲＮＣへ再配置命令メッセージを伝送するステップと、
を含むことを特徴とする請求項１記載の方法。
【請求項５】
任意のＵＥがＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）前記ＲＮＣがＵＥからｎｏｎ−ＭＡＣメッセージサービス要請を受信する場合、ＵＥのための専用Ｉｕ接続があるか否かを検査し、ＵＥのための専用接続がなければ、前記ＲＮＣがＳＧＳＮへサービス要請メッセージを伝送する間に、ＳＣＣＰ接続要請メッセージを構成し、ＳＣＣＰ接続確立手順を開始し、ＳＧＳＮへＳＣＣＰ接続要請メッセージを伝送した後にその応答を待機するステップと、
（ｂ）前記ＲＮＣがＳＧＳＮからＳＣＣＰ接続確認メッセージを受信すると、ＵＥのための専用Ｉｕ信号接続の確立が成功したことを示すステップと、
を含むことを特徴とする請求項１記載の方法。
【請求項６】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確定する必要があり、このような手順は、
（ａ）前記ＳＧＳＮが前記ＲＮＣからＳＣＣＰ接続要請メッセージを受信した後、データフィールドに含まれたＲＡＮＡＰメッセージを分離し、ＲＡＮＡＰメッセージがサービス要請メッセージである場合、このＵＥのためにＲＮＣによって割り当てられたＩｕ信号接続ＩＤを貯蔵し、ＳＧＳＮ内に信号接続識別子を割り当て、ＳＣＣＰ接続確認メッセージを構成するステップと、
（ｂ）前記ＳＧＳＮがＲＮＣへＳＣＣＰ接続確認メッセージを伝送するステップと、
（ｃ）サービス要請が許容される場合、前記ＳＧＳＮがＭＳへサービス許容メッセージを伝送し、この専用接続を通して設定無線接続ベアラー（ＲＡＢ）メッセージを伝送するステップと、
を含むことを特徴とする請求項１記載の方法。 
【請求項７】
ＳＲＮＳ再配置フローで、ターゲットＲＮＣが再配置要請メッセージを受信した後、ＵＥに必要な任意のＭＢＭＳサービスに属していない場合、ＳＧＳＮへＭＢＭＳサービス要請メッセージを伝送し、これに従って、次のステップ（６０７、７０７及び８０７）の間にＲＡＢ確立手順がＭＢＭＳサービスのためのＲＡＢを確立することもできることを特徴とする請求項１記載の方法。
【請求項８】
共有ＭＢＭＳ Ｉｕ信号接続のために、ＲＮＣとＳＧＳＮとの間で任意のＭＢＭＳサービスを使用するＵＥがない場合、前記ＲＮＣがＩｕ接続開放手順を開始することができることを特徴とする請求項１記載の方法。
【請求項９】
共有ＭＢＭＳ Ｉｕ信号接続のために、ＳＧＳＮは、次のような２つの状況で開放手順を開始することができ、前記２つの状況は、
ＳＧＳＮがこれ以上ＭＢＭＳデータを受信しない場合、信号接続及びＲＡＢ 開放手順が開始されることができ、
ＲＮＣとＳＧＳＮとの間で任意のＭＢＭＳサービスを使用するＵＥがない場合、前記ＳＧＳＮは、Ｉｕ接続開放手順を開始することができることを特徴とする請求項１記載の方法。
【請求項１０】
ＳＧＳＮがＭＢＭＳサービスのための共有信号ベアラーを設定するＭＢＭＳサービスのためのＩｕインターフェース上の信号ベアラー接続方法であって、
（ａ）前記ＳＧＳＮがＧＧＳＮから伝送されたデータを受信した後、ＲＮＣへＭＢＭＳ通知メッセージを伝送し、関連したＭＢＭＳサービス情報を通知した後、前記ＲＮＣから応答メッセージを待機するステップと、
（ｂ）前記ＲＮＣからＳＣＣＰ接続要請メッセージを受信した後、前記ＳＧＳＮがデータフィールドに含まれたＲＡＮＡＰメッセージを分離し、このサービスに対して前記ＲＮＣによって割り当てられたＩｕ信号接続ＩＤを貯蔵し、前記ＳＧＳＮに信号接続識別子を割り当てた後、ＳＣＣＰ接続確認メッセージ及びＭＢＭＳ ＲＡＢ割当て要請メッセージを作成するステップと、
（ｃ）前記ＳＧＳＮが前記ＲＮＣにＳＣＣＰ接続確認メッセージを伝送するステップと、
（ｄ）ＭＢＭＳ ＲＡＢ割当て要請メッセージがＳＣＣＰ接続確認メッセージのデータフィールドに含まれる場合、前記ＳＧＳＮは、設定された共有Ｉｕ接続を通して前記ＲＮＣにＭＢＭＳ ＲＡＢ割当て要請メッセージを伝送するステップ（このステップは、省略されることができる。）と、
を含むことを特徴とするＭＢＭＳサービスのためのＩｕインターフェース上の信号ベアラー接続方法。
【請求項１１】
任意のＵＥがＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）ＳＲＮＣが再配置手順の実行を決定するステップと、
（ｂ）前記ＳＲＮＣが再配置命令メッセージを構成し、前記ＵＥのためのＩｕ信号接続があるか否かを検査し、前記ＵＥのためのＩｕ信号接続がなければ、そのデータフィールド内に再配置命令メッセージを含むＳＣＣＰ接続要請メッセージを作成するステップと、
（ｃ）前記ＳＲＮＣがＳＧＳＮへＳＣＣＰ接続要請メッセージを伝送し、ＳＣＣＰ信号接続の確立を要請した後にその応答を待機するステップと、
（ｄ）前記ＳＲＮＣがＳＧＳＮからこのサービスのために使用された共有Ｉｕ信号接続確立の成功を示すＳＣＣＰ接続確認メッセージを受信するステップと、
を含むことを特徴とする請求項１０記載の方法。
【請求項１２】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後に、前記データフィールドに含まれた無線接続ネットワーク応用部（ＲＡＮＡＰ）メッセージを分離し、前記ＲＡＮＡＰメッセージが再配置命令メッセージである場合、このサービスのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）前記ＳＧＳＮが新たなＳＧＳＮに再配置要請メッセージを伝送するステップと、
（ｄ）前記ＳＧＳＮが前記新たなＳＧＳＮから再配置応答メッセージを受信した後に、前記ＵＥのための専用Ｉｕ信号接続を介してＲＮＣへ再配置命令メッセージを伝送するステップと、
を含むことを特徴とする請求項１０記載の方法。
【請求項１３】
（ａ）前記ＲＮＣがＵＥからｎｏｎ−ＭＡＣメッセージサービス要請を受信する場合、ＵＥのための専用Ｉｕ接続があるか否かを検査し、ＵＥのための専用接続がなければ、前記ＲＮＣがＳＧＳＮへサービス要請メッセージを伝送する間に、ＳＣＣＰ接続要請メッセージを構成し、ＳＣＣＰ接続確立手順を開始し、ＳＧＳＮへＳＣＣＰ接続要請メッセージを伝送した後にその応答を待機するステップと、
（ｂ）前記ＲＮＣがＳＧＳＮからＳＣＣＰ接続確認メッセージを受信すると、ＵＥのための専用Ｉｕ信号接続の確立に成功したことを示すステップと、
を含むことを特徴とする請求項１０記載の方法。
【請求項１４】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後、データフィールドに含まれたＲＡＮＡＰメッセージを分離し、ＲＡＮＡＰメッセージがサービス要請メッセージである場合、このサービスのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）サービス要請が許容される場合、前記ＳＧＳＮがＭＳへサービス許容メッセージを伝送し、この専用接続を通して設定無線接続ベアラー（ＲＡＢ）メッセージを伝送するステップと、
を含むことを特徴とする請求項１０記載の方法。 
【請求項１５】
ＳＲＮＳ再配置フローで、ターゲットＲＮＣが再配置要請メッセージを受信した後、ＵＥに必要な任意のＭＢＭＳサービスに属していない場合、ＳＧＳＮへＭＢＭＳサービス要請メッセージを伝送し、これに従って、次のステップ（６０７、７０７及び８０７）の間にＲＡＢ確立手順がＭＢＭＳサービスのためのＲＡＢを設定することもできることを特徴とする請求項１０記載の方法。 
【請求項１６】
共有ＭＢＭＳ Ｉｕ信号接続のために、ＲＮＣとＳＧＳＮとの間で任意のＭＢＭＳサービスを使用するＵＥがない場合、前記ＲＮＣがＩｕ接続開放手順を開始することができることを特徴とする請求項１０記載の方法。
【請求項１７】
共有ＭＢＭＳ Ｉｕ信号接続のために、ＳＧＳＮは、次のような２つの状況で開放手順を開始することができ、前記２つの状況は、
ＳＧＳＮがこれ以上ＭＢＭＳデータを受信しない場合、信号接続及びＲＡＢ 開放手順が開始されることができ、
ＲＮＣとＳＧＳＮとの間で任意のＭＢＭＳサービスを使用するＵＥがない場合、前記ＳＧＳＮは、Ｉｕ接続開放手順を開始することができることを特徴とする請求項１０記載の方法。
【請求項１８】
ＳＧＳＮがＭＢＭＳサービスのための共有信号ベアラーを確立するＭＢＭＳサービスのためのＩｕインターフェース上の信号ベアラー接続方法であって、
（ａ） 前記ＳＧＳＮがＧＧＳＮからＭＢＭＳデータを受信するステップと、
（ｂ） 前記ＳＧＳＮが遂行されるサービスを分析し、このサービスのために使用される共有Ｉｕ接続がない場合、そのデータフィールドにＭＢＭＳ ＲＡＢ割当て要請メッセージを含むＳＣＣＰ接続要請メッセージを作成するステップと、
（ｃ） 前記ＳＧＳＮが前記ＲＮＣへＳＣＣＰ接続要請メッセージを伝送し、ＳＣＣＰ信号接続の確立を要請した後にその応答を待機するステップと、
（ｄ） 前記ＳＧＳＮがこのサービスに対してＲＮＣから前記共有されたＩｕ信号接続確立の成功を示すＳＣＣＰ接続確認メッセージを受信するステップと、
を含むことを特徴とするＭＢＭＳサービスのためのＩｕインターフェース上の信号ベアラー接続方法。
【請求項１９】
次の状況が前記ＳＧＳＮによって開始される既存のＳＣＣＰ接続確立の条件に付加され、前記ＳＧＳＮがＭＢＭＳ ＲＡＢ割当て要請メッセージを伝送する場合、前記サービスに該当するＩｕ信号接続がなければ、前記ＳＧＳＮは、ＳＣＣＰ接続確立手順を開始し、ＲＡＮＡＰメッセージは、ＳＣＣＰ接続要請メッセージのデータフィールドに含まれることを特徴とする請求項１８記載の方法。
【請求項２０】
任意のＵＥがＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）ＳＲＮＣが再配置手順の実行を決定するステップと、
（ｂ）前記ＳＲＮＣが再配置命令メッセージを作成し、前記ＵＥのためのＩｕ信号接続があるか否かを検査し、前記ＵＥのためのＩｕ信号接続がなければ、そのデータフィールド内に再配置命令メッセージを含むＳＣＣＰ接続要請メッセージを作成するステップと、
（ｃ）前記ＳＲＮＣがＳＧＳＮへＳＣＣＰ接続要請メッセージを伝送し、ＳＣＣＰ信号接続の確立を要請した後にその応答を待機するステップと、
（ｄ）前記ＳＲＮＣがＳＧＳＮからこのサービスのために使用された共有Ｉｕ信号接続確立の成功を示すＳＣＣＰ接続確認メッセージを受信するステップと、
を含むことを特徴とする請求項１８記載の方法。
【請求項２１】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後、データフィールドに含まれたＲＡＮＡＰメッセージを分離し、ＲＡＮＡＰメッセージがサービス要請メッセージである場合、このサービスのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）前記ＳＧＳＮが新たなＳＧＳＮへ再配置要請メッセージを伝送するステップと、 
（ｄ）前記ＳＧＳＮが前記新たなＳＧＳＮから再配置応答メッセージを受信した後に、前記ＵＥのための専用Ｉｕ信号接続を介してＲＮＣへ再配置命令メッセージを伝送するステップと、
を含むことを特徴とする請求項１８記載の方法。
【請求項２２】
任意のＵＥがＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）前記ＲＮＣがＵＥからｎｏｎ−ＭＡＣメッセージサービス要請を受信する場合、ＵＥのための専用Ｉｕ接続があるか否かを検査し、ＵＥのための専用接続がなければ、前記ＲＮＣがＳＧＳＮにサービス要請メッセージを伝送する間に、ＳＣＣＰ接続要請メッセージを作成し、ＳＣＣＰ接続確立手順を開始し、前記ＳＧＳＮへＳＣＣＰ接続要請メッセージを伝送した後にその応答を待機するステップと、
（ｂ）前記ＲＮＣがＳＧＳＮからＳＣＣＰ接続確認メッセージを受信すると、ＵＥのための専用Ｉｕ信号接続の確立に成功したことを示すステップと、
を含むことを特徴とする請求項１８記載の方法。
【請求項２３】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後、データフィールドに含まれたＲＡＮＡＰメッセージを分離し、ＲＡＮＡＰメッセージがサービス要請メッセージである場合、このサービスのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）サービス要請が許容される場合、前記ＳＧＳＮがＭＳへサービス許容メッセージを伝送し、この専用接続を通して設定無線接続ベアラー（ＲＡＢ）メッセージを伝送するステップと、
を含むことを特徴とする請求項１８記載の方法。 
【請求項２４】
共有ＭＢＭＳ Ｉｕ信号接続のために、ＲＮＣとＳＧＳＮとの間で任意のＭＢＭＳサービスを使用するＵＥがない場合、前記ＲＮＣがＩｕ接続開放手順を開始することができることを特徴とする請求項１８記載の方法。
【請求項２５】
共有ＭＢＭＳ Ｉｕ信号接続のために、ＳＧＳＮは、次のような２つの状況で開放手順を開始することができ、前記２つの状況は、
ＳＧＳＮがこれ以上ＭＢＭＳデータを受信しない場合、信号接続及びＲＡＢ 開放手順が開始されることができ、
ＲＮＣとＳＧＳＮとの間で任意のＭＢＭＳサービスを使用するＵＥがない場合、前記ＳＧＳＮは、Ｉｕ接続開放手順を開始することができることを特徴とする請求項１８記載の方法。
【請求項２６】
ＲＮＣがＭＢＭＳサービスのための共有信号ベアラーを確立するＭＢＭＳサービスのためのＩｕインターフェース上の信号ベアラー接続方法であって、
（ａ）前記ＳＧＳＮからＳＣＣＰ接続要請メッセージを受信した後、前記ＲＮＣがデータフィールドに含まれたＲＡＮＡＰメッセージを分離し、このサービスに対して前記ＳＧＳＮによって割り当てられたＩｕ信号接続ＩＤを貯蔵し、前記ＲＮＣに信号接続識別子を割り当てた後、ＳＣＣＰ接続確認メッセージ及びＭＢＭＳ ＲＡＢ割当て応答メッセージを構成作成するステップと、
（ｂ）前記ＲＮＣが前記ＳＧＳＮへＳＣＣＰ接続確認メッセージを伝送するステップと、
（ｃ）ＭＢＭＳ ＲＡＢ割当て応答メッセージがＳＣＣＰ接続確認メッセージのデータフィールドに含まれない場合、前記ＲＮＣは、設定された共有Ｉｕ接続を通して前記ＳＧＳＮへＭＢＭＳ ＲＡＢ割当て応答メッセージを伝送するステップ（このステップは、省略されることができる）と、
を含むことを特徴とするＭＢＭＳサービスのためのＩｕインターフェース上の信号ベアラー接続方法。
【請求項２７】
任意のＵＥがＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）ＳＲＮＣが再配置手順の実行を決定するステップと、
（ｂ）前記ＳＲＮＣが再配置命令メッセージを作成し、前記ＵＥのためのＩｕ信号接続があるか否かを検査し、前記ＵＥのためのＩｕ信号接続がなければ、そのデータフィールド内に再配置命令メッセージを含むＳＣＣＰ接続要請メッセージを作成するステップと、
（ｃ）前記ＳＲＮＣがＳＧＳＮへＳＣＣＰ接続要請メッセージを伝送し、ＳＣＣＰ信号接続の確立を要請した後にその応答を待機するステップと、
（ｄ）前記ＳＲＮＣがＳＧＳＮからこのサービスのために使用された共有Ｉｕ信号接続確立の成功を示すＳＣＣＰ接続確認メッセージを受信するステップと、
を含むことを特徴とする請求項２６記載の方法。
【請求項２８】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後に、前記データフィールドに含まれた無線接続ネットワーク応用部（ＲＡＮＡＰ）メッセージを分離し、前記ＲＡＮＡＰメッセージが再配置命令メッセージである場合、このサービスのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）前記ＳＧＳＮが新たなＳＧＳＮへ再配置要請メッセージを伝送するステップと、 
（ｄ） 前記ＳＧＳＮが前記新たなＳＧＳＮから再配置応答メッセージを受信した後に、前記ＵＥのための専用Ｉｕ信号接続を介してＲＮＣへ再配置命令メッセージを伝送するステップと、
を含むことを特徴とする請求項２６記載の方法。
【請求項２９】
次の状況が前記ＲＮＣによって開始される既存のＳＣＣＰ接続確立の条件に付加され、前記ＲＮＣがＭＢＭＳサービス命令メッセージを伝送する場合、前記サービスに該当するＩｕ信号接続がなければ、前記ＲＮＣは、ＳＣＣＰ接続確立手順を開始し、ＲＡＮＡＰメッセージは、ＳＣＣＰ接続要請メッセージのデータフィールドに含まれることを特徴とする請求項２８記載の方法。
【請求項３０】
任意のＵＥがＭＢＭＳサービス以外の他の非ＭＢＭＳサービスを受信する必要があるか、又は移動した場合、前記ＲＮＣが前記ＵＥに対する専用Ｉｕ接続を確立する必要があり、このような手順は、
（ａ）前記ＲＮＣがＵＥからｎｏｎ−ＭＡＣメッセージサービス要請を受信する場合、ＵＥのための専用Ｉｕ接続があるか否かを検査し、ＵＥのための専用接続がなければ、前記ＲＮＣがＳＧＳＮへサービス要請メッセージを伝送する間に、ＳＣＣＰ接続要請メッセージを作成し、ＳＣＣＰ接続確立手順を開始し、ＳＧＳＮへＳＣＣＰ接続要請メッセージを伝送した後にその応答を待機するステップと、
（ｂ）前記ＲＮＣがＳＧＳＮからＳＣＣＰ接続確認メッセージを受信すると、ＵＥのための専用Ｉｕ信号接続の確立に成功したことを示すステップと、
を含むことを特徴とする請求項２６記載の方法。
【請求項３１】
任意のＵＥがＭＢＭＳサービス以外の他の非ＭＢＭＳサービスを受信する必要があるか、又は移動した場合、ＳＧＳＮが前記ＵＥに対する専用Ｉｕ接続を確立する必要があり、このような手順は、
（ａ）前記ＳＧＳＮが前記ＲＮＣからＳＣＣＰ接続要請メッセージを受信した後、データフィールドに含まれたＲＡＮＡＰメッセージを分離し、ＲＡＮＡＰメッセージがサービス要請メッセージである場合、このサービスのためにＲＮＣによって割り当てられたＩｕ信号接続ＩＤを貯蔵し、ＳＧＳＮ内に信号接続識別子を割り当て、ＳＣＣＰ接続確認メッセージを作成するステップと、
（ｂ）前記ＳＧＳＮがＲＮＣへＳＣＣＰ接続確認メッセージを伝送するステップと、
（ｃ）サービス要請が許容される場合、前記ＳＧＳＮがＭＳへサービス許容メッセージを伝送し、この専用接続を通して設定無線接続ベアラー（ＲＡＢ）メッセージを伝送するステップと、
を含むことを特徴とする請求項２６記載の方法。 
【請求項３２】
ＳＲＮＳ再配置フローで、ソースＲＮＣが、移動中のユーザがソースＲＮＣとソースＳＧＳＮとの間の任意のＭＢＭＳサービスのための最後のユーザであることを認知し、このサービスのための共有Ｉｕ接続が存在する場合、前記ソースＲＮＣが共有Ｉｕ接続及びユーザプレーン上の資源を開放する手順を開始することを特徴とする請求項２７記載の方法。
【請求項３３】
前記開放手順は、
− 前記ＲＮＣがＳＧＳＮへＩｕ開放要請メッセージを伝送し、共有Ｉｕ信号接続及びユーザプレーン上の資源を開放することを要請するステップと、
− 前記ＲＮＣからＩｕ開放要請メッセージを受信した後、前記ＳＧＳＮがソースＲＮＣへＩｕ開放命令メッセージを伝送するステップと、
− 前記ＳＧＳＮからＩｕ開放命令メッセージを受信した後、前記ソースＲＮＣが該当資源を開放し、前記ＳＧＳＮへＩｕ開放完了メッセージを伝送するステップと、
を含み、
ＵＥが前記ソースＲＮＣ内の多重サービスを受信する最後のユーザである場合、前記開放手順を数回にわたって実行する必要があり、この開放方案は、前記ＲＮＣと前記ＳＧＳＮとの間で任意のＭＢＭＳサービスを使用する最後のＵＥがサービスを終了する場合の状況に適用されることもできることを特徴とする請求項３２記載の方法。
【請求項３４】
前記開放手順がＲＮＣによって開始され、前記ソースＲＮＣがＭＢＭＳサービスを使用する最後のＵＥがサービスの使用を中断したか、又はサービスを終了したことを認知する場合、前記ＲＮＣがユーザプレーン資源及びＩｕ接続を開放し、以前のＳＧＳＮへＭＢＭＳＩｕ開放指示メッセージを伝送し、ＵＥがソースＲＮＣ内の多重サービスの最後のユーザである場合、開放手順を数回にわたって遂行する必要があることを特徴とする請求項３２記載の方法。 
【請求項３５】
前記ＭＢＭＳ Ｉｕ開放指示メッセージが接続指向メッセージであり、前記メッセージがＲＡＢデータボリューム報告リスト及び開放されたＲＡＢリストを含むことを特徴とする請求項３４記載の方法。 
【請求項３６】
ＳＲＮＳ再配置フローで、ＳＧＳＮがＳＧＳＮとＲＮＣとの間でＭＢＭＳサービスを使用する最後のＵＥがサービスの使用を中断したか、又はサービスを終了し、このサービスのための共有Ｉｕ接続がやはり存在することを認知すると、ＳＧＳＮは、共有Ｉｕ接続の開放手順を開始して、
ＳＧＳＮがＲＮＣへＩｕ開放命令メッセージを再送し、共有Ｉｕ信号接続及びユーザプレーン上の資源を開放することを要請し、
Ｉｕ開放命令メッセージを受信した後、ソースＲＮＣは、該当資源を開放し、Ｉｕ開放完了メッセージをＳＧＳＮへ伝送し、
ＵＥがソースＲＮＣ内で多重サービスの最後のユーザである場合、開放手順を数回にわたって実行する必要があることを特徴とする請求項２７記載の方法。
【請求項３７】
共有ＭＢＭＳ Ｉｕ信号接続のために、ＲＮＣとＳＧＳＮとの間で任意のＭＢＭＳサービスを使用するＵＥがない場合、前記ＲＮＣがＩｕ接続開放手順を開始することができることを特徴とする請求項２６記載の方法。
【請求項３８】
共有ＭＢＭＳ Ｉｕ信号接続のために、ＳＧＳＮは、次のような２つの状況で開放手順を開始することができ、前記２つの状況は、
ＳＧＳＮがこれ以上ＭＢＭＳデータを受信しない場合、信号接続及びＲＡＢ 開放手順が開始されることができ、
ＲＮＣとＳＧＳＮとの間で任意のＭＢＭＳサービスを使用するＵＥがない場合、前記ＳＧＳＮは、Ｉｕ接続開放手順を開始することができることを特徴とする請求項２６記載の方法。
【発明の詳細な説明】
【技術分野】
【０００１】
本発明は、広帯域符号分割多重接続（Wideband Code Division Multiple Access；ＷＣＤＭＡ）移動通信システムにおけるマルチメディアブロードキャスト／マルチキャストサービス（Multimedia Broadcast/Multicast Service；ＭＢＭＳ）に関し、さらに詳細には、Ｉｕインターフェース（無線接続ネットワークとコアネットワークとの間のインターフェース）上でのＭＢＭＳの信号ベアラー接続（Bearer Connection）のための方法に関する。
【背景技術】
【０００２】
マルチメディアブロードキャスト／マルチキャストサービス（以下、ＭＢＭＳと称する）は、第３世代移動体通信規格化プロジェクト（3rd Generation Partnership Project；３ＧＰＰ）によって標準化されている新たなサービスである。上記ＭＢＭＳサービスは、一方向の一対多接続（point-to-multipoint；p-t-m）サービスであって、このサービスの一番注目すべき１つの特徴は、無線資源及びネットワーク資源を効率的に使用することができることである。
【０００３】
図１を参照して、上記ＭＢＭＳシステムの構成を簡単に説明する。
ＭＢＭＳネットワークの構成は、ＧＰＲＳ（General Packet Radio Service）のコアネットワーク（Core Network；ＣＮ）に基づく新たなネットワーク要素を付加する。ブロードキャスト／マルチキャストサービスセンター（Broadcast and Multicast Service Center；ＢＭ−ＳＣ）１０１は、ＭＢＭＳシステムのサービス制御センターである。ゲートウェイＧＰＲＳ支持ノード（Gateway GPRS Supporting Node；ＧＧＳＮ）１０２及びサービスＧＰＲＳ支持ノード（Service GPRS Supporting Node；ＳＧＳＮ）１０３は、ＭＢＭＳサービスの伝送ネットワークを構成し、データ伝送のためのルートを提供する。ホーム位置レジスタ（Home Location Register；ＨＬＲ）１０６は、ユーザ関連データを貯蔵し、ユーザ認証のようなサービスを提供することができる。ＵＭＴＳ用地上無線接続網（UMTS Terrestrial Radio Access Network；ＵＴＲＡＮ）１０４は、空中インターフェースを介してＭＢＭＳサービスのための無線資源を提供する。Ｉｕインターフェース１０７は、無線接続ネットワークとコアネットワークとの間のインターフェースを示す。ユーザ装置（User Equipment；ＵＥ）１０５は、データを受信する端末装置である。ＭＢＭＳサービスに使用される無線資源は、１人のユーザの専用のものではなく、このサービスを使用するすべてのユーザに共有される。
【０００４】
（１）既存のＩｕインターフェースの信号接続モード
ＵＥとＣＮとの間のレイヤ３のメッセージを伝送するために、既存の無線接続ネットワーク応用部（Radio Access Network Application Part；ＲＡＮＡＰ）は、活性化されたＵＥそれぞれに対する信号接続を確立する。ＲＡＮＡＰは、２つのモード、すなわち、接続指向モード及び非接続指向モードをサポートする。
【０００５】
（２）既存のＩｕインターフェースの信号接続確立及び開放
ＵＥ及びＣＮの情報が無線ネットワーク制御器（Radio Network Controller；ＲＮＣ）とＣＮとの間に交換される必要があり、Ｉｕインターフェース上に上記ＵＥのための信号接続制御部（Signaling Connection Control Part；ＳＣＣＰ）がないとき、新たなＳＣＣＰ接続が確立される。このＳＣＣＰ接続の設定は、下記の通りである。
【０００６】
Ｉ）ＲＮＣがＳＣＣＰ信号接続の確立を開始する。
ＲＮＣが始めにＵＥからｎｏｎ−ＭＡＣ（non Media Access Control）メッセージを受信し、このＵＥのためのＩｕ接続がない場合、ＲＮＣは、ＳＣＣＰ接続確立の手順を開始する。ＲＮＣは、ＣＮにＳＣＣＰ接続要請メッセージを伝送し、上記ＳＣＣＰ接続要請メッセージは、そのデータフィールド内にＲＡＮＡＰメッセージを含む。
【０００７】
ＩＩ）ＣＮがＳＣＣＰ信号接続の確立を開始する。
ＣＮは、再配置（relocation）が実行されるとき、ＳＣＣＰ信号接続の確立を開始する。ＣＮは、ＲＮＣにＳＣＣＰ接続要請メッセージを伝送してＩｕ接続の確立を開始するが、このメッセージは、データフィールド内にＲＡＮＡＰメッセージを含む（オプショナル）。
【０００８】
上述した状況は、現在決定されているＳＣＣＰ接続確立のための状況であるだけである。そして、他の状況は、今後に紹介される。
【０００９】
正常開放の場合に、ＳＣＣＰ接続の開放は、ＣＮによって開始される。ＣＮがそれ以上信号接続が必要でないことを認知すると、接続は、開放され、ＣＮは、ＳＣＣＰ開放メッセージを伝送する。
【００１０】
異常開放の場合に、ＣＮ及びＲＮＣのすべてが開放手順を開始することができる。
【００１１】
（３）既存の無線ネットワークサブシステム(Serving Radio Network Subsystem；ＳＲＮＳ)の再配置手順
ＳＲＮＳ再配置手順は、3GPP specification TR 23.846 v1.2.0.に記述されている。図２は、該当信号フローを示す。該フローの各ステップについて詳細に説明すると、下記の通りである。
【００１２】
２０１ ソースＲＮＣは、ＳＲＮＳ再配置手順の実行を決定する。
２０２ ソースＲＮＣは、以前のＳＧＳＮに再配置命令メッセージを伝送する。
２０３ 以前のＳＧＳＮは、新たなＳＧＳＮに再配置命令メッセージを伝送する。
２０４ 新たなＳＧＳＮは、ターゲットＲＮＣに再配置要請メッセージを伝送し、無線接続ベアラー（ＲＡＢ）がターゲットＲＮＣと新たなＳＧＳＮとの間に確立される。ユーザプレーンの資源を含み、ＲＡＢが必要とする資源の割り当てに成功した後に、ターゲットＲＮＣは、新たなＳＧＳＮに再配置要請確認メッセージを伝送する。
【００１３】
２０５ 新たなＳＧＳＮは、以前のＳＧＳＮに再配置応答メッセージを伝送する。
２０６ 以前のＳＧＳＮは、ソースＲＮＣに再配置命令メッセージを伝送する。
２０７ ソースＲＮＣは、データのコピーを開始し、これをネットワークプロトコル（以下、ＩＰ階層と称する）を通してターゲットＲＮＣへ伝送する。
【００１４】
２０８ ソースＲＮＣは、ターゲットＲＮＣに再配置伝達メッセージを伝送する。この手順は、ＳＲＮＳコンテキストをターゲットＲＮＣへ伝送するのに使用され、ＳＲＮＳの役割は、ソースＲＮＣからターゲットＲＮＣに転向する。
【００１５】
２０９ ターゲットＲＮＣが再配置実行のためのトリガーメッセージを受信すると、新たなＳＧＳＮに再配置検出メッセージを伝送する。その後に、ターゲットＲＮＣは、サービング無線ネットワーク制御器（Serving Radio Network Controller；以下、ＳＲＮＣと称する）の役割を開始する。
２１０ ＵＥは、新たなＳＲＮＣ識別子、位置領域の表示、ＵＥとターゲットＲＮＣとの間で交換される上り方向ユーザデータのような移動性関連情報をターゲットＲＮＣと交換する。
【００１６】
２１１ 上記ＳＲＮＳ再配置が相互に異なるＳＧＳＮの間で発生する場合、新たなＳＧＳＮは、上記再配置検出メッセージを受信した後、該当ＧＧＳＮに更新ＰＤＰ（Packet Data Protocol）コンテキスト要請メッセージを伝送する。ＧＧＳＮは、ＰＤＰコンテキストを更新し、更新ＰＤＰコンテキスト応答メッセージを返送する。新たなＳＧＳＮは、ＵＥのＭＢＭＳコンテキスト内のそれぞれのＭＢＭＳサービスを検査する。任意のサービスにＳＧＳＮ内の一番目のＵＥが加入している場合、ＳＧＳＮとＧＧＳＮとの間のＧＰＲＳトンネルプロトコル（GPRS Tunnel Protocol；以下、ＧＴＰと称する）トンネルが確立され、ＭＢＭＳコンテキストがＧＧＳＮ内に生成される。
【００１７】
２１２ ターゲットＲＮＣは、ＵＴＲＡＮ移動性情報確認メッセージを受信した後、再配置完了手順を開始する。新たなＳＧＳＮは、以前のＳＧＳＮにＳＲＮＳ再配置完了を通知するために、再配置完了メッセージを伝送する。
２１３ ソースＲＮＣ、ソースＳＧＳＮ、及びユーザ資源の間のＩｕインターフェースを開放する。
２１４ 新たなルート領域表示（Route Area Indication；以下、ＲＡＩと称する）が以前のものと異なる場合、ＵＥは、ルート配置更新手順を開始する。
【００１８】
Ｃ１、Ｃ２、及びＣ３において、移動網用拡張ロジックのためのカスタマイズアプリケーション（Customized Applications for Mobile network Enhanced Logic；以下、ＣＡＭＥＬと称する）が実行される。
【００１９】
既存のＲＡＮＡＰは、それぞれの活性化されたＵＥのための信号接続を使用する。ＭＢＭＳサービスは、新たな一対多サービスであって、共有を通して無線資源及びネットワーク資源を効率的に使用することにその特徴がある。Ｉｕインターフェース上で、ＭＢＳＭサービスのユーザプレーンは共有される。それぞれのＵＥが１つの信号接続を使用する場合、Ｉｕインターフェース上の情報トラヒック及びＲＮＣとＳＧＳＮ側のプロセスが増加するだけではなく、ユーザ移動性による問題を完全に解決することができなくなる。このようなユーザ移動性の問題を解決するためには、既存のＩｕインターフェース上のメッセージも変更される必要がある。従って、ネットワーク資源を適切に使用し、また、ＲＮＣ及びＳＧＳＮ側のプロセスと既存のメッセージに対する変更を減らし、ユーザ移動性の問題を解決することができるような、ＭＢＭＳサービス指向のＩｕインターフェースの接続方法が提案されることが切望されている。
【００２０】
既存の再配置命令メッセージは、接続指向的である。ユーザがＭＢＳＭサービスを受信する以外に、他のサービス（すなわち、音声サービス）を受信しない場合、ユーザ専用のＩｕ接続は確立されない。再配置命令メッセージをどのように伝送し、ＵＥ専用のＩｕインターフェースの接続をどのように確立するかが解決されるべき問題点である。
【００２１】
Ｉｕインターフェース上のＭＢＭＳサービスのユーザプレーンが共有されるので、ユーザプレーンと他のサービスの制御プレーンが専用に使用される間に、ＳＲＮＳ再配置手順は、この新たなモードで修正される必要がある。
【００２２】
また、本発明で提案される接続方法（共有信号接続が同一の種類のＭＢＭＳサービスに対するＩｕ上で使用され、同時に、専用のＩｕ接続がＭＢＭＳサービス以外の他のサービスが受信され、ＵＥの移動性が発生する場合に設定される）以外に、共有Ｉｕ接続のみが、ＭＢＭＳを受信しているＵＥに対するＩｕインターフェース上に存在する他の提案がある。共有Ｉｕ接続が存在する２種類の場合に対して、ＭＢＭＳ共有接続を確立し、開放する方法が既存のＳＣＣＰ接続設定手順にまだ提供されていないので、共有接続を確立する状況がＳＣＣＰ接続を設定するための条件に追加されるべきである。ＭＢＭＳは新たに紹介されたサービスであるので、ＭＢＭＳサービスに使用された共有接続がいつ開放されなければならないかが現在まで解決されない問題点である。
【発明の開示】
【発明が解決しようとする課題】
【００２３】
上記背景に鑑みて、本発明の目的は、同一の種類のＭＢＭＳサービスに対して共有されたＩｕ信号接続を確立する新たな方法を提供することにある。
【課題を解決するための手段】
【００２４】
このような目的を達成するために、本発明の１つの特徴によれば、無線ネットワーク制御器（ＲＮＣ）がＩｕインターフェース上でマルチメディアブロードキャスト／マルチキャストサービス（ＭＢＭＳ）サービスのための共有信号ベアラーを設定するＭＢＭＳサービスのためのＩｕインターフェース上の信号ベアラー接続方法であって、（ａ）上記ＲＮＣがサービスＧＰＲＳ支持ノード（ＳＧＳＮ）から任意のＭＢＭＳサービスのためのＭＢＭＳ通知メッセージを受信するステップと、（ｂ）上記ＲＮＣが通知のコンテンツに従ってＭＢＭＳサービス要請メッセージを構成するステップと、（ｃ）上記ＲＮＣが上記ＳＧＳＮへ信号接続制御部（ＳＣＣＰ）接続要請メッセージを伝送し、ＳＣＣＰ信号接続を設定するように要請した後に応答を待機するステップと、（ｄ）上記ＲＮＣが上記ＳＧＳＮからこのサービスのために使用されたＩｕ信号接続設定の成功を示すＳＣＣＰ接続確認メッセージを受信するステップと、を含むことを特徴とする。
【００２５】
本発明の他の特徴によれば、ＳＧＳＮがＭＢＭＳサービスのための共有信号ベアラーを設定するＭＢＭＳサービスのためのＩｕインターフェース上の信号ベアラー接続方法であって、（ａ）上記ＳＧＳＮがＧＧＳＮから伝送されたデータを受信した後、ＲＮＣへＭＢＭＳ通知メッセージを伝送し、関連したＭＢＭＳサービス情報を通知した後、上記ＲＮＣから応答メッセージを待機するステップと、（ｂ）上記ＲＮＣからＳＣＣＰ接続要請メッセージを受信した後、上記ＳＧＳＮがデータフィールドに含まれたＲＡＮＡＰメッセージを分離し、このサービスに対して上記ＲＮＣによって割り当てられたＩｕ信号接続ＩＤを貯蔵し、上記ＳＧＳＮに信号接続識別子を割り当てた後、ＳＣＣＰ接続確認メッセージ及びＭＢＭＳ ＲＡＢ割当て要請メッセージを構成するステップと、（ｃ）上記ＳＧＳＮが上記ＲＮＣにＳＣＣＰ接続確認メッセージを伝送するステップと、（ｄ）ＭＢＭＳ ＲＡＢ割当て要請メッセージがＳＣＣＰ接続確認メッセージのデータフィールドに含まれる場合、上記ＳＧＳＮは、設定された共有Ｉｕ接続を通して上記ＲＮＣにＭＢＭＳ ＲＡＢ割当て要請メッセージを伝送するステップ（このステップは、省略されることができる。）と、を含むことを特徴とする。
【００２６】
本発明のまた他の特徴によれば、ＳＧＳＮがＭＢＭＳサービスのための共有信号ベアラーを設定するＭＢＭＳサービスのためのＩｕインターフェース上の信号ベアラー接続方法であって、（ａ）上記ＳＧＳＮがＧＧＳＮからＭＢＭＳデータを受信するステップと、（ｂ）上記ＳＧＳＮが遂行されるサービスを分析し、このサービスのために使用される共有Ｉｕ接続がない場合、そのデータフィールドにＭＢＭＳ ＲＡＢ割当て要請メッセージを含むＳＣＣＰ接続要請メッセージを構成するステップと、（ｃ）上記ＳＧＳＮが上記ＲＮＣへＳＣＣＰ接続要請メッセージを伝送し、ＳＣＣＰ信号接続の設定を要請した後にその応答を待機するステップと、（ｄ）上記ＳＧＳＮがこのサービスに対してＲＮＣから上記共有されたＩｕ信号接続設定の成功を示すＳＣＣＰ接続確認メッセージを受信するステップと、を含むことを特徴とする。
【００２７】
本発明のさらに他の特徴によれば、ＲＮＣがＭＢＭＳサービスのための共有信号ベアラーを設定するＭＢＭＳサービスのためのＩｕインターフェース上の信号ベアラー接続方法であって、（ａ）上記ＳＧＳＮからＳＣＣＰ接続要請メッセージを受信した後、上記ＲＮＣがデータフィールドに含まれたＲＡＮＡＰメッセージを分離し、このサービスに対して上記ＳＧＳＮによって割り当てられたＩｕ信号接続ＩＤを貯蔵し、上記ＲＮＣに信号接続識別子を割り当てた後、ＳＣＣＰ接続確認メッセージ及びＭＢＭＳ ＲＡＢ割当て応答メッセージを構成するステップと、（ｂ）上記ＲＮＣが上記ＳＧＳＮへＳＣＣＰ接続確認メッセージを伝送するステップと、（ｃ）ＭＢＭＳ ＲＡＢ割当て応答メッセージがＳＣＣＰ接続確認メッセージのデータフィールドに含まれない場合、上記ＲＮＣは、設定された共有Ｉｕ接続を通して上記ＳＧＳＮへＭＢＭＳ ＲＡＢ割当て応答メッセージを伝送するステップ（このステップは、省略されることができる）と、を含むことを特徴とする。
【発明の効果】
【００２８】
本発明は、ＭＢＭＳサービスが既存の移動通信システムに導入された後に、Ｉｕインターフェース上での信号接続時の問題点を解決する。
【００２９】
１．本発明で与えられた接続モードは、ネットワーク資源を適切に用いることができ、Ｉｕインターフェース上の信号混雑を効果的に低減させ、既存のＩｕインターフェースメッセージに与えられる変更を減らすことができる。
【００３０】
２．本発明は、ＳＲＮＳ再配置フローの変更を通してＭＢＭＳサービスを導入する場合、ユーザ移動性による問題点を解決する。このような変更事項は、既存の再配置手順に何の影響を及ぼさず、あとで互換性を保持させる。
【００３１】
３．本発明は、共有されたＩｕ接続のためのメカニズムを設定して開放し、これによって、共有接続の存在の可能性を保証する。
【発明を実施するための最良の形態】
【００３２】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
ＭＢＭＳサービスのための適切なＩｕ接続モードを提供するために、本発明は、次のような幾つかの点における既存の技術に対する変更及び新規事項を成している。
【００３３】
・  同一の種類のＭＢＭＳサービスのために共有されたＩｕ信号接続の使用が提案され、ＵＥがＭＢＭＳサービス以外の他のサービスを受信するか、又は、移動する場合、ＵＥ専用のＩｕ信号接続が設定される。ＭＢＭＳのためのサービスを提供するメッセージは、共有されたＩｕ接続を通して送られる。同一の種類のサービスに対する同一のメッセージは、同時に繰り返し送る必要がなく、従って適切にネットワーク資源を使用する。専用Ｉｕ接続は他の非ＭＢＭＳサービスやユーザ移動性のために使用される。これにより、既存のメッセージに与えられる変更事項を減らすことができる。
【００３４】
・  ユーザがＭＢＭＳサービスのみを受信する場合に、どのように再配置命令メッセージを伝送するかに関する問題点を解決する。
【００３５】
新たな状況が既存のＳＣＣＰ接続設定のトリガー条件に付加される。：ＲＮＣがＳＧＳＮに再配置要請メッセージを伝送する際に、Ｉｕインターフェース上で上記ＵＥに対するＩｕ接続がない場合、ＳＣＣＰ接続確立の手順が開始される。
【００３６】
・  再配置手順の変更
ＭＢＭＳを導入した後、ユーザ移動性による問題点を解決するために、幾つかのメッセージがＳＲＮＳ再配置フローに付加される。これによって、ユーザプレーンが共有され、制御プレーンがこのような新たなＩｕ接続モードを利用する場合、上述した再配置問題を完全に解決する。
【００３７】
・  ＭＢＭＳサービスのための共有接続を設定するための条件が既存のＳＣＣＰ接続設定の条件に付加される。
新たな状況が次のようにＳＣＣＰ接続設定のトリガー条件に付加される。：ＲＮＣがＳＧＳＮにＭＢＭＳサービス要請を伝送するか、又は、ＳＧＳＮがＲＮＣにＭＢＭＳ ＲＡＢ割当ての要請メッセージを伝送する際に、Ｉｕインターフェース上に上記ＵＥのために使用されたＩｕ接続がない場合、ＳＣＣＰ接続確立の手順が開始される。上記確立手順は、上記共有Ｉｕ接続及び専用Ｉｕ接続が共存する場合だけではなく、共有Ｉｕ接続のみが存在する場合に適用可能である。
【００３８】
・  ＭＢＭＳ共有接続開放：ＲＮＣとＳＧＳＮとの間にデータ伝送が終了されるか、又はＵＥがＭＢＭＳサービスを使用しない場合、ＲＮＣ及びＳＧＳＮは、Ｉｕ接続開放の手順を開始することができる。
【００３９】
（１）Ｉｕインターフェース上の信号接続モード
Ｉｕインターフェース上でＭＢＭＳのために使用されたメッセージは、ＭＢＭＳ通知、ＭＢＭＳサービス要請／削除、ＭＢＭＳ  ＲＡＢ設定のようなサービスには合うが、ＵＥには合わない。従って、Ｉｕインターフェース上で同一の種類のＭＢＭＳサービスのために共有されたＩｕインターフェースを使用することを提案する。このため、ＭＢＭＳサービスのためのメッセージは、共有されたＩｕ接続を通して伝送されることができる。Ｉｕインターフェース上で一度に複数のＵＥに繰り返しメッセージを伝送する必要はなく、これにより、Ｉｕインターフェース上の情報トラヒックを減少させる。このようにして、、ＲＮＣ／ＧＳＧＮが、異なるＵＥのために同時に動作している接続から同一のメッセージを多重に受信することを避けることができるが、これは、ＲＮＣ及びＳＧＳＮ側のプロセスを減少させることができる。
【００４０】
また、ユーザは、ＭＢＭＳサービスを受信する間に他のサービス（すなわち、音声サービス）を受信することもでき、各ユーザの移動性は、独立している。既存のＳＲＮＳ再配置フローでのＩｕインターフェースによって使用されるメッセージは、ＵＥのための接続指向メッセージである。既存のメッセージに加えられる変更を減らし、同時に今後のシステム互換性を保持する既存のＳＲＮＳ再配置フローに加えられる変更を減らすために、ユーザがＭＢＭＳサービス以外の他のサービス（すなわち、音声サービス）を使用するか、又は、移動する場合、ＵＥが他のサービスのユーザプレーン資源又はユーザ移動性を制御するための専用Ｉｕ接続の確立が必要である。
【００４１】
（２）ＳＲＮＳ再配置手順
ＳＲＮＳ再配置手順を達成するために、本発明は、次のような変更及び新規事項を成す。
ａ）再配置命令メッセージは、接続指向的である。移動した１人のユーザがＭＢＭＳサービスの以外の他のサービスを受信しない場合、ＵＥ専用のＩｕ接続は、確立されていない。このとき、臨時Ｉｕ専用接続が確立される必要がある。従って、下記に説明する通りに、新たな状況が既存のＳＣＣＰ接続設定のトリガー条件に付加される。
【００４２】
ＳＣＣＰ接続設定の状況は、下記の通りである。
Ｉ）ＲＮＣがＳＣＣＰ信号接続の設定を開始する。
初めてＲＮＣがＵＥからｎｏｎ−ＭＡＣ（non Media Access Control）メッセージを受信し、上記ＵＥに対するＩｕ接続がない場合、ＲＮＣは、ＳＣＣＰ接続確立の手順を開始する。ＲＮＣは、そのデータフィールド内にＲＡＮＡＰメッセージを含むＳＣＣＰ接続要請メッセージをＣＮへ伝送する。
【００４３】
ＲＮＣがソースＳＧＳＮに再配置命令メッセージを伝送する場合、Ｉｕインターフェース上にこのＵＥのために使用されるＩｕ接続がない場合、ＲＮＣは、ＳＣＣＰ接続設定の手順を開始する。ＲＡＮＡＰメッセージは、ＳＣＣＰ接続設定要請メッセージのデータフィールドに含まれる。
【００４４】
ＩＩ）ＣＮがＳＣＣＰ信号接続の確立を開始する。
ＣＮが再配置を実行する場合、ＳＣＣＰ信号接続の確立を開始する。ＣＮは、そのデータフィールドにＲＡＮＡＰメッセージ（選択事項）を含むＳＣＣＰ接続要請メッセージをＲＮＣへ伝送することによってＩｕ接続の確立を開始する。
【００４５】
ｂ）ターゲットＲＮＣがＵＥで使用されたＭＢＭＳサービスの状況を認知するようにするために、情報要素、すなわち、ＭＢＭＳコンテキストリストが既存の再配置要請メッセージに付加される。ＭＢＭＳコンテキストは、主に、ＡＰＮ、ＩＰアドレス、及びＱｏＳ（Quality of Service）を含む。
【００４６】
ｃ）上記ターゲットＲＮＣが再配置要請メッセージを受信した後、現在ＵＥによって要請された任意のＭＢＭＳサービスを受信しなかったことを認知すると、ＭＢＭＳサービス要請メッセージを新たなＳＧＳＮへ伝送する。新たなＳＧＳＮは、ＲＡＢを設定する時と同一の時間に該当ＭＢＭＳサービスのためのＲＡＢを設定することができ、ＭＢＭＳデータを新たなＲＮＣへ伝送する。これは、本発明によって付加された新たなステップである。
【００４７】
ｄ）１４個のステップを有する機能が付加される。ＲＮＣがＳＲＮＳ再配置手順の完了を示すＩｕ開放命令メッセージを受信する場合、上記移動した１つのＵＥがソースＲＮＣの最後のユーザに該当する場合、上記共有接続及びＭＢＭＳサービスに該当するユーザプレーン資源のすべてが開放される。このような機能のために３種類の方案が選択されることができる。次のような方案は、ＲＮＣとＳＧＳＮとの間の最後のユーザがサービスを終了した状況又は共有Ｉｕ接続が開放される必要がある他の状況に適用されることができる。
【００４８】
方案１）上記機能は、ＲＮＣによって開始されて既存のメッセージによって実現される。
− ＲＮＣは、ＳＧＳＮにＩｕ開放要請メッセージを伝送し、ＳＧＳＮに該当Ｉｕ接続とユーザプレーン資源の開放を要請する。
− ＳＧＳＮは、ソースＲＮＣにＩｕ開放命令メッセージを伝送する。
− ソースＲＮＣは、該当資源を開放し、ＳＧＳＮにＩｕ開放完了メッセージを伝送する。
【００４９】
方案２）上記機能は、ＲＮＣによって開始されて新たなメッセージを付加することによって実現される。
ＲＮＣは、ユーザプレーン資源とＩｕ接続を開放した後、以前のＳＧＳＮにＭＢＭＳ Ｉｕ開放指示メッセージを伝送する。このような新たなメッセージは、接続指向メッセージであって、主に、次のようないろいろな情報要素を含む。：
【００５０】
◆ ＲＡＢデータボリューム報告リスト
このリストは、主に２つの部分を含む。：
・  ＲＡＢ識別子（ＲＡＢ ＩＤ）
・  ＲＡＢデータボリューム報告項目、すなわち、伝送が成功していない下り方向データボリューム及びデータボリューム参照番号
◆ ＲＡＢ開放リスト
その主な内容は、下記事項を含む。：
・  ＲＡＢ識別子（ＲＡＢ ＩＤ）
・  下り方向プロトコルデータユニット（ＰＤＵ）のシーケンス番号
・  上り方向ＰＤＵのシーケンス番号
【００５１】
方案３）上記機能は、ＳＧＳＮによって開始され、既存のメッセージによって実現される。
ＳＧＳＮがＳＧＳＮとＲＮＣとの間の最後のユーザが任意のＭＢＭＳサービスの利用を中断したか、又は終了したことを認知すると、ＲＮＣにＩｕ開放命令を伝送する。ＲＮＣは、該当資源を開放し、ＳＧＳＮにＩｕ開放完了メッセージを伝送する。
【００５２】
（３）Ｉｕインターフェース共有信号接続の設定及び開放
共有Ｉｕ接続を設定するために、２種類の方法は、このような問題を解決することができる。
【００５３】
方法１を以下に説明する。
以下に説明する通りに、新たな状況が既存のＳＣＣＰ接続確立のトリガー条件に付加される。
ＳＣＣＰ接続確立の状況は、下記の通りである。：
【００５４】
Ｉ）ＲＮＣがＳＣＣＰ信号接続の確立を開始する。
ＲＮＣが始めてｎｏｎ−ＭＡＣメッセージをＵＥから受信し、このＵＥに対するＩｕ接続がない場合、ＲＮＣは、ＳＣＣＰ接続確立の手順を開始する。ＲＮＣは、そのデータフィールドにＲＡＮＡＰメッセージを含むＳＣＣＰ接続要請メッセージをＣＮに伝送する。
【００５５】
ＲＮＣがソースＳＧＳＮに再配置命令メッセージを伝送する場合、Ｉｕインターフェース上にこのＵＥのために使用されるＩｕ接続がないならば、ＲＮＣは、ＳＣＣＰ接続確立の手順を開始する。再配置命令メッセージがＳＣＣＰ接続確立要請メッセージのデータフィールドに含まれる。
【００５６】
ＲＮＣがＳＧＳＮにＭＢＭＳサービス要請メッセージを伝送する場合、Ｉｕインターフェース上にこのＵＥのために使用されるＩｕ接続がないならば、ＲＮＣは、ＳＣＣＰ接続確立の手順を開始する。ＲＡＮＡＰメッセージは、ＳＣＣＰ接続確立要請メッセージのデータフィールドに含まれる。
【００５７】
ＩＩ）ＣＮがＳＣＣＰ信号接続の設定を開始する。
ＣＮは、再配置を実行する場合にＳＣＣＰ信号接続の確立を開始する。ＣＮは、そのデータフィールドにＲＡＮＡＰメッセージ（オプショナル）を含むＳＣＣＰ接続要請メッセージをＲＮＣに伝送することによってＩｕ接続の確立を開始する。
【００５８】
方法２を以下に説明する。
以下に説明する通りに、新たな状況が既存のＳＣＣＰ接続確立のトリガー条件に付加される。
ＳＣＣＰ接続確立の状況は、下記の通りである。：
【００５９】
ＩＩＩ）ＲＮＣがＳＣＣＰ信号接続の設定を開始する。
ＲＮＣが始めて非媒体接続制御メッセージをＵＥから受信し、このＵＥに対するＩｕ接続がない場合、ＲＮＣは、ＳＣＣＰ接続確立の手順を開始する。ＲＮＣは、そのデータフィールドにＲＡＮＡＰメッセージを含むＳＣＣＰ接続要請メッセージをＣＮへ伝送する。
ＲＮＣがソースＳＧＳＮへ再配置命令メッセージを伝送する場合、Ｉｕインターフェース上にこのＵＥのために使用されるＩｕ接続がないならば、ＲＮＣは、ＳＣＣＰ接続確立の手順を開始する。再配置命令メッセージは、ＳＣＣＰ接続確立要請メッセージのデータフィールドに含まれる。
ＩＶ）ＣＮがＳＣＣＰ信号接続の確立を開始する。
ＣＮが再配置を実行する場合、ＳＣＣＰ信号接続の確立を開始する。ＣＮは、そのデータフィールドにＲＡＮＡＰメッセージ（オプショナル）をｗ含むＳＣＣＰ接続要請メッセージをＲＮＣへ伝送することによってＩｕ接続の確立を開始する。
【００６０】
ＳＧＳＮがＲＮＣへＭＢＭＳ ＲＡＢ割当て要請メッセージを伝送する場合、Ｉｕインターフェース上にこのＵＥのために使用されるＩｕ接続がないならば、ＳＧＳＮは、ＳＣＣＰ接続確立の手順を開始する。ＲＡＮＡＰメッセージは、ＳＣＣＰ接続確立要請メッセージのデータフィールドに含まれる。
【００６１】
正常な開放の場合には、ＳＣＣＰ接続の開放がＣＮによって開始される。ＣＮがこれ以上信号接続が必要でないことを認知すると、接続が開放され、ＣＮは、ＳＣＣＰ開放メッセージを伝送する。異常な開放の場合には、ＣＮとＲＮＣは、開放手順を開始することができる。
【００６２】
次のような２つの状況で共有ＭＢＭＳ Ｉｕ接続が開放されることができる。
◆ＳＧＳＮがこれ以上ＭＢＭＳデータを受信しない場合、信号接続及びＲＡＢ開放手順が開始されることができる。
◆ＲＮＣとＳＧＳＮとの間でＭＢＭＳサービスを使用するＵＥがない場合には、ＲＮＣ及びＳＧＳＮは、Ｉｕ接続開放手順を開始することができる。
【００６３】
次に、本発明のフローを添付図面を参照して詳細に説明する。
（１）ＭＢＭＳ共有Ｉｕ接続設定の信号フロー
【００６４】
方法１を説明すると、下記の通りである。
図３は、本発明の第１の実施形態によるＭＢＭＳの共有されたＩｕ接続確立の信号フローを示す。各動作ステップを詳細に説明すると、下記の通りである。
３０１ ＧＧＳＮは、ＳＧＳＮへデータを伝送する。
３０２ ＳＧＳＮは、非接続指向的で、既存のページングメッセージと同一な、ＲＡＮＡＰの通知サービスに属するＭＢＭＳ通知メッセージを作成し、これをＲＮＣへ伝送する。
３０３ ＲＮＣは、ＵＥへＭＢＭＳサービスの開始を通知するために、ＵＥにＭＢＭＳ通知メッセージを伝送する。
【００６５】
３０４ アイドル状態でＵＥに対するＲＲＣ接続を確立する。
３０５ ＵＥは、ＵＴＲＡＮへＭＢＭＳサービス要請メッセージを伝送する。
３０６ ＲＮＣは、進行中であるサービスを分析する。このようなサービスに使用されるＩｕ接続がない場合、ＲＮＣは、ＳＣＣＰ接続要請メッセージを作成する。
【００６６】
３０７ ＲＮＣは、そのデータフィールドにＭＢＭＳサービス要請メッセージを含むＳＣＣＰ接続要請メッセージをＳＧＳＮへ伝送する。
３０８ ＳＧＳＮは、ＳＣＣＰ接続要請メッセージを分析し、ＲＮＣによって割り当てられたＩｕ接続ＩＤを貯蔵する。ＳＧＳＮは、ＲＮＣによって要請されたサービスを分析し、ＭＢＭＳ ＲＡＢ割当て要請メッセージ及びＳＣＣＰ接続確認メッセージを作成する。
【００６７】
３０９ ＳＧＳＮは、ＳＣＣＰ接続確認メッセージをＲＮＣへ伝送する。ＳＧＳＮは、ＲＡＮＡＰメッセージであるＭＢＭＳ ＲＡＢ割当て要請メッセージを直接ＲＮＣへ伝送し、上記ＭＢＭＳ ＲＡＢ割当て要請メッセージがＳＣＣＰ接続確認メッセージのデータフィールドに含まれるようにする。上記ＭＢＭＳ ＲＡＢ割当て要請メッセージは、接続指向メッセージである。
【００６８】
３１０ ＲＢは、ＭＢＭＳサービスを受信するＵＥに対して確立される。
３１１ ＲＮＣは、このサービスのために使用される共有Ｉｕ接続を介してＳＧＳＮへＭＢＭＳ ＲＡＢ割当て応答メッセージを伝送する。
３１２ ＳＧＳＮは、下り方向データの伝送を開始する。
【００６９】
方法２を説明すると、下記の通りである。
図４は、本発明の第２の実施形態によるＭＢＭＳの共有されたＩｕ接続確立の信号フローを示す。各動作ステップを詳細に説明すると、下記の通りである。
４０１ ＧＧＳＮは、ＳＧＳＮにデータを伝送する。
４０２ ＳＧＳＮは、非接続指向的で、既存のページングメッセージと同一な、ＲＡＮＡＰ通知サービスに属するＭＢＭＳ通知メッセージを作成し、これをＲＮＣへ伝送する。
４０３ ＲＮＣは、ＵＥへＭＢＭＳサービスの開始を通知するために、ＵＥへＭＢＭＳ通知メッセージを伝送する。
【００７０】
４０４ ＲＮＣは、進行中であるサービスを分析する。このようなサービスに使用されるＩｕ接続がない場合、ＲＮＣは、ＳＣＣＰ接続要請メッセージを作成する。
４０５ ＳＧＳＮは、そのデータフィールドにＭＢＭＳ ＲＡＢ割当て要請メッセージを含むＳＣＣＰ接続要請メッセージをＲＮＣへ伝送する。
４０６ ＲＮＣは、ＳＣＣＰ接続要請メッセージを分析し、ＳＧＳＮによって割り当てられたＩｕ接続ＩＤを貯蔵する。ＲＮＣは、ＭＢＭＳ ＲＡＢ割当て応答メッセージ及びＳＣＣＰ接続確認メッセージを作成する。
【００７１】
４０７ ＲＮＣは、ＳＧＳＮへＳＣＣＰ接続確認メッセージを伝送する。ＲＮＣは、ＲＡＮＡＰメッセージであるＭＢＭＳ ＲＡＢ割当て応答メッセージを直接ＳＧＳＮへ伝送し、このＭＢＭＳ ＲＡＢ割当て応答メッセージがＳＣＣＰ接続確認メッセージのデータフィールドに含まれるようにする。上記ＭＢＭＳ ＲＡＢ割当て応答メッセージは、接続指向メッセージである。
【００７２】
４０８ アイドル状態でＵＥに対するＲＲＣ接続を確立する。
４０９ ＵＥは、ＵＴＲＡＮへＭＢＭＳサービス要請メッセージを伝送する。
４１０ ＲＢは、ＭＢＭＳサービスを受信するＵＥに対して確立される。
４１１ ＳＧＳＮは、下り方向データの伝送を開始する。
【００７３】
（２）ＭＢＭＳ専用Ｉｕ接続確立の信号フロー
図５は、ＵＥがＭＢＭＳサービスを受信する場合に他のサービス（すなわち、音声サービス）を受信する必要がある際の、専用Ｉｕ接続を確立するための信号フローを示す。各動作ステップを詳細に説明すると、下記の通りである。
５０１ ＭＳは、ＭＢＭＳサービスを受信する。
５０２ 伝送する必要がある非ＭＢＭＳサービスのための上り方向データがある場合、ＲＲＣ接続が存在すると、ＭＳは、サービス要請メッセージを作成することができる。
【００７４】
５０３ ＭＳは、ＳＧＳＮへサービス要請メッセージを伝送し、ＳＧＳＮに資源を維持することを要請する。上記サービス要請メッセージのサービスタイプパラメータは、データとして設定される。ＲＮＣがｎｏｎ−ＭＡＣメッセージであるＵＥのサービス要請メッセージをＳＧＳＮへ伝送する場合、上記ＵＥのためのＩｕ接続がないならば、ＲＮＣは、ＳＣＣＰ接続要請メッセージを作成し、Ｉｕ接続確立手順を開始し、ＵＥに対する専用Ｉｕ接続を確立する。
【００７５】
５０４ ＳＣＣＰ接続要請メッセージを受信した後、ＳＧＳＮは、ＲＮＣによって割り当てられたＩｕ接続ＩＤを貯蔵し、このような接続のためにＳＧＳＮに識別子を割り当て、ＳＣＣＰ接続確認メッセージをＲＮＣへ伝送する。
５０５ サービス要請が許容される場合、ＳＧＳＮは、ＭＳにサービス許容メッセージを伝送する。
５０６ ＳＧＳＮは、ＲＮＣにＲＡＢ割当て要請メッセージを伝送し、ＲＡＢ確立を要請する。
【００７６】
５０７ ＲＮＣは、ＭＳにＲＢ確立メッセージを伝送し、ＭＳに再確立されるＲＡＢ ＩＤを通知し、無線資源の設定を要請する。
５０８ ＭＳ及びＲＮＣは、ユーザプレーン上のベアラー確立の完了を示すＲＢ確立完了メッセージ及びＲＡＢ割当て応答メッセージのそれぞれを伝送する。
【００７７】
５０９ 変更されたＱｏＳに従って再確立されたＲＡＢのそれぞれに対して、ＳＧＳＮは、ＰＤＰコンテキスト変更手順を開始し、ＭＳ及びＧＧＳＮに上記ＰＤＰコンテキストに該当する新たにネゴシエーションされたＱｏＳを通知する。
５１０ ＭＳは、上り方向データパケットを伝送する。
【００７８】
（４）ＳＲＮＳ再配置手順
図６、図７、及び図８は、ＭＢＭＳサービスが付加され、本発明によるＩｕインターフェース上の信号接続モードが採択される場合のＳＲＮＳ再配置手順を示す。図６、図７、及び図８での差異点は、共有Ｉｕ接続を開放するために使用されるメッセージが本発明の３種類の方案に対応して相互に異なる点である。既存のＳＲＮＳ再配置手順と比較して見ると、上記再配置手順は、ユーザがＭＢＭＳサービスのみを受信する場合に再配置命令メッセージをどのように伝送するかに関する問題点を次のように解消する。；
【００７９】
◆ 上記ターゲットＲＮＣに付加された該当サービスがない場合、該当メッセージが上記フローに付加される。
◆ ＵＥの移動によってソースＲＮＣ内にＭＢＭＳサービスを使用するＵＥがない場合、共有接続及びユーザプレーン資源が開放される。
【００８０】
各ステップについて下記の通りに詳細に説明する。
６０１ ソースＲＮＣは、ＳＲＮＳ再配置手順の実行を決定する。
６０２及び６０３ ソースＲＮＣが再配置命令メッセージを作成し、ＵＥ専用のＩｕ接続が存在する場合、上記メッセージは、直接ＳＧＳＮへ伝送される。ＵＥがＭＢＭＳサービス以外の他のサービスを受信せず、ＵＥ専用のＩｕ接続を使用することができない場合、ＲＮＣは、そのデータフィールドに再配置命令メッセージを含むＳＣＣＰ接続要請メッセージを作成する。ＲＮＣは、ＣＮにＳＣＣＰ接続要請メッセージを伝送する。
【００８１】
６０４ 以前のＳＧＳＮは、ＭＢＭＳコンテキストを含む再配置要請メッセージを新たなＳＧＳＮへ伝送する。
６０５ 新たなＳＧＳＮは、ターゲットＲＮＣに再配置要請メッセージを伝送し、このような再配置要請メッセージを伝送する間にＵＥのための専用Ｉｕ接続を確立する。
６０６ ターゲットＲＮＣが該当サービスに加入されていなければ、ターゲットＲＮＣは、ＳＧＳＮへＭＢＭＳサービス要請メッセージを伝送する。
【００８２】
６０７ ＭＢＭＳのＲＡＢを含む無線接続ベアラーがターゲットＲＮＣと新たなＳＧＳＮとの間に設定される。
６０８ ユーザプレーン上の資源を含むＲＡＢが必要とする資源の割り当てに成功した後に、ターゲットＲＮＣは、新たなＳＧＳＮに再配置要請確認メッセージを伝送する。
６０９ 新たなＳＧＳＮは、以前のＳＧＳＮに再配置応答メッセージを伝送する。
６１０ 以前のＳＧＳＮは、ソースＲＮＣに再配置命令メッセージを伝送する。
６１１ ソースＲＮＣは、データのコピーを開始し、これをネットワークプロトコル（以下、ＩＰ階層と称する）を通してターゲットＲＮＣへ伝送する。
【００８３】
６１２ ソースＲＮＣは、ターゲットＲＮＣへ再配置伝達メッセージを伝送する。このような手順は、ＳＲＮＳコンテキストをターゲットＲＮＣへ伝送するために使用され、ＳＲＮＳの役割は、ソースＲＮＣからターゲットＲＮＣへ変換される。
６１３ ターゲットＲＮＣが再配置実行のためのトリガーメッセージを受信する場合、新たなＳＧＳＮに再配置検出メッセージを伝送する。その後、ターゲットＲＮＣは、サービング無線ネットワーク制御器（ＳＲＮＣ）の役割を行い始める。
６１４ ＵＥは、 新たなＳＲＮＣ識別子、位置領域の表示、上り方向ユーザデータのような移動性関連情報をターゲットＲＮＣと交換する。
【００８４】
６１５ ＳＲＮＳの再配置が相互に異なるＳＧＳＮの間に発生する再配置であれば、新たなＳＧＳＮが上記再配置検出メッセージを受信する場合、該当ＧＧＳＮに更新ＰＤＰ（Packet Data Protocol）コンテキスト要請メッセージを伝送する。ＧＧＳＮは、ＰＤＰコンテキストを更新し、更新ＰＤＰコンテキスト応答メッセージを伝送する。新たなＳＧＳＮは、ＵＥのためのＭＢＭＳコンテキスト内の各ＭＢＭＳサービスを検査する。任意のサービスがＳＧＳＮ内の一番目のＵＥによって加入されている場合、ＳＧＳＮとＧＧＳＮとの間にＧＴＰトンネルが確立され、ＭＢＭＳコンテキストがＧＧＳＮ内に生成される。
【００８５】
６１６ ターゲットＳＲＮＣは、ＵＴＲＡＮ移動性情報確認メッセージを受信した後、再配置完了手順を開始する。
６１７ 新たなＳＧＳＮは、以前のＳＧＳＮにＳＲＮＳ再配置手順の完了を通知するために、再配置完了メッセージを伝送し、以前のＳＧＳＮは、再配置完了確認メッセージを伝送する。
【００８６】
６１８ ソースＲＮＣ、ソースＳＧＳＮ、及びユーザ資源間のＩｕインターフェースが開放される。ＵＥがＭＢＭＳサービス以外のサービスを受信していない場合、ＵＥ専用の臨時Ｉｕ接続のみを開放する必要がある。
６１９ ＵＥがソースＲＮＣ内でＭＢＭＳサービスを使用する最後のＵＥである場合、ＭＢＭＳサービスのための共有接続及びユーザプレーン資源は、開放される。ＲＮＣは、ＳＧＳＮにＩｕ開放要請メッセージを伝送し、ＳＧＳＮに該当Ｉｕ接続及びユーザプレーン資源の開放を要請する。ＳＧＳＮは、ソースＲＮＣにＩｕ開放命令メッセージを伝送する。ソースＲＮＣは、該当資源を開放し、ＳＧＳＮにＩｕ開放完了メッセージを伝送する。
【００８７】
ＵＥがソースＲＮＣ内で多重サービスの最後のユーザである場合、上記のような開放手順は、数回にわたって遂行される。
６２０ 新たなルート領域表示（ＲＡＩ）が以前のルート領域表示と異なる場合、ＵＥは、ルート位置更新手順を開始する。
【００８８】
図７のステップ７１９を除外した各動作ステップは、図５のステップと同一である。
７１９ ＵＥがソースＲＮＣでＭＢＭＳサービスを使用する最後のＵＥである場合、ＭＢＭＳサービスに対応する共有接続及びユーザプレーン資源は、開放される。ＲＮＣは、ユーザプレーン資源及びＩｕ接続を開放した後、以前のＳＧＳＮにＭＢＭＳ Ｉｕ開放指示メッセージを伝送する。このようなメッセージは、開放されたＲＡＢに関する情報を含む。ＵＥがソースＲＮＣで多重ＭＢＭＳサービスの最後のユーザである場合、上記のような開放手順は、数回にわたって遂行される。
【００８９】
図８のステップ８１９を除外した各動作ステップは、図５のステップと同一である。
８１９ ＳＧＳＮは、ＭＢＭＳサービスを使用する最後のＵＥが使用を中断したか、又はＳＧＳＮとＲＮＣとの間のサービスを終了させたことを認知すると、ＲＮＣへＩｕ開放命令を伝送する。
【００９０】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００９１】
【図１】ＭＢＭＳシステムの構成を概略的に示す。
【図２】既存のＳＲＮＳ再配置の手順を示す。
【図３】本発明の第１の実施形態によるＭＢＭＳの共有されたＩｕ信号接続を設定するフローを示す。
【図４】本発明の第２の実施形態によるＭＢＭＳの共有されたＩｕ信号接続を設定するフローを示す。
【図５】ＵＥがＭＢＭＳデータを受信するための専用のＩｕ信号接続を設定するフローを示す。
【図６】（共有されたＩｕ接続の開放が方法１である）ＳＲＮＣ再配置手順を示す。
【図７】（共有されたＩｕ接続の開放が方法２である）ＳＲＮＣ再配置手順を示す。
【図８】（共有されたＩｕ接続の開放が方法３である）ＳＲＮＣ再配置手順を示す。
【符号の説明】
【００９２】
１０１  ＢＭ−ＳＣ
１０２  ＧＧＳＮ
１０３  ＳＧＳＮ
１０４  ＵＴＲＡＮ
１０５  ＵＥ
１０６  ＨＬＲ
１０７  Ｉｕ
【図１】
2006506001.tif 000003
【図２】
2006506001.tif 000004
【図３】
2006506001.tif 000005
【図４】
2006506001.tif 000006
【図５】
2006506001.tif 000007
【図６】
2006506001.tif 000008
【図７】
2006506001.tif 000009
【図８】
2006506001.tif 000010
【国際調査報告】
2006506001.tif 000011